(57)【特許請求の範囲】
【請求項１】
少なくとも１つの第１のウェビングと連結されるように構成及び配置された、雄接続部を含む雄バックルシステムと、
前記雄バックルシステムの前記雄接続部を選択的に収容する収容チャネルを有する雌ハウジング部材を含む、少なくとも１つの第２のウェビングと連結されるように構成及び配置された雌バックルシステムであって、前記雌ハウジング部材が、フロントプレート部と、バックプレート部と、湾曲端部とを有し、前記湾曲端部がフロントプレート部とバックプレート部との間に延び、前記フロントプレート部の少なくとも一部が前記バックプレート部上に選択された距離だけ間隔をあけて配置されることにより前記収容チャネルを画定し、前記雌ハウジング部が、前記運動チャネル部を形成する、前記バックプレート部及び前記湾曲端部に近接する凸部を更に含み、少なくとも前記フロントプレート部及び前記湾曲端部が前記収容チャネルへの接続切欠きセクションを含み、前記接続切欠きセクションが前記雄バックルシステムの前記雄接続部を収容するように形状決めされて、前記雄バックルシステムを選択的に前記雌バックルシステムと連結する、雌バックルシステムと、
前記雌バックルシステムの前記雌ハウジング部材を前記少なくとも１つの第２のウェビングとピボット連結するピボット取付け部材とを含む、
安全ハーネスコネクターアセンブリ。
【発明の詳細な説明】
【背景技術】
【０００１】
様々な職業で、人は比較的危険な高所の不安定な位置に配置され、そのことにより、落下防止又は落下保護安全装置の必要が生み出される。とりわけ、かかる装置は、通常は、支持構造と支持構造に近接して働く人が着用した安全ハーネスとの間で相互連結された命綱を含む。安全ハーネスがユーザーに適切にフィットし、ウェビング接続接合部が、落下事象中に安全ハーネスの機能に役立つように設計されることが重要である。
【０００２】
上述の理由及び当業者が本明細書を読んで理解することで明らかになる下で述べる他の理由から、当該技術分野では、安全ハーネスを着用する個別のユーザーとの適切なフィットを達成し、落下事象中の安全ハーネスの機能に役立つように設計された、効果的な安全ハーネスコネクターが必要とされている。
【発明の概要】
【０００３】
現行のシステムの上述の問題は、本発明の実施形態により対処され、以下の明細書を読んで検討することにより理解される。以下の概要は、例示の目的で記載され、限定の目的ではない。それは、読者が本発明の態様のうちのいくつかを理解するのを補助するように提供されるに過ぎない。
【０００４】
一実施形態では、安全ハーネスコネクターが提供され、安全ハーネスコネクターは、雄バックルシステム及び雌バックルシステムを含む。雄バックルシステムは、少なくとも１つの第１のウェビングと連結されるように構成及び配置される。雄バックルシステムは、雄接続部を更に含む。雌バックルシステムは、少なくとも１つの第２のウェビングと連結されるように構成及び配置される。雌バックルシステムは、雄バックルシステムの雄接続部を選択的に収容する収容室を有する雌ハウジング部材を含む。収容室は、選択的収容室深さを有する。雌ハウジング部材は、収容チャネルと接続された運動チャネル部を更に有する。運動チャネル部は、収容チャネル深さを超える運動チャネル深さを有する。雄バックルシステムの雄接続部の少なくとも一部は、雄バックルシステムが雌バックルシステムと連結されたときに雌ハウジング部材の運動チャネル部内に配置される。
【０００５】
別の一実施形態では、別の安全ハーネスコネクターアセンブリが提供される。この安全ハーネスコネクターアセンブリは、雄バックルシステム、雌バックルシステム、及びピボット取付け部材を含む。雄バックルシステムは、少なくとも１つの第１のウェビングと連結されるように構成及び配置される。雄バックルシステムは、雄接続部を更に含む。雌バックルシステムは、少なくとも１つの第２のウェビングと連結されるように構成及び配置される。雌バックルシステムは、雄バックルシステムの雄接続部を選択的に収容する収容室を有する雌ハウジング部材を含む。ピボット取付け部材は、雌バックルシステムの雌ハウジング部材を少なくとも１つの第２のウェビングとピボット連結する。
【０００６】
更に別の一実施形態では、安全ハーネスコネクターアセンブリが提供される。この安全ハーネスコネクターアセンブリは、雄バックルシステム及び雌バックルシステムを含む。雄バックルシステムは、第１のウェビングと連結されるように構成及び配置される。雄バックルシステムは、雄接続部を含む。雄接続部は、屈曲保持リップで終端する。雌バックルシステムは、少なくとも１つの第２のウェビングと連結されるように構成及び配置される。雌バックルシステムは、雄バックルシステムの雄接続部を選択的に収容する収容室及び収容室への接続切欠きセクションを有する雌ハウジング部材を含む。接続切欠きセクションは、保持端部により画定される保持切欠きセクションを含む。雄バックルシステムの雄接続部の屈曲保持リップは、雄接続部が雌バックルシステムの収容室内に収容されたとき、接続切欠きセクションの保持切欠きセクションを画定する保持端部と嵌合するように構成及び配置され、雌バックルシステムに対する雄バックルシステムの横回転を防止する。
【図面の簡単な説明】
【０００７】
詳細な説明及び以下の図面を鑑みて検討するとき、本発明はより容易に理解でき、その更なる利点及び用途がより容易に明らかとなる。
【０００８】
【図１】本発明の実施形態の安全ハーネスコネクターを含む、ユーザーが着用した安全ハーネスの正面図である。
【図２Ａ】本発明の一実施形態の安全ハーネスコネクターの正面図である。
【図２Ｂ】図２Ａの安全ハーネスコネクターの第１の側面図である。
【図２Ｃ】図２Ａの安全ハーネスコネクターの第２の側面図である。
【図３Ａ】本発明の一実施形態の図２Ａの安全ハーネスコネクターの雌バックルシステムの正面図である。
【図３Ｂ】異なる向きの図３Ａの雌バックルシステムの正面図である。
【図４Ａ】本発明の一実施形態の図３Ａの雌バックルシステムの雌ハウジング部材の正面図である。
【図４Ｂ】図４Ａの雌ハウジング部材の背面図である。
【図４Ｃ】図４Ａの雌ハウジング部材の側面図である。
【図５Ａ】本発明の一実施形態の図３Ａの雌バックルシステムのピボット取付け部材の正面図である。
【図５Ｂ】図５Ａのピボット取付け部材の第１の側面図である。
【図５Ｃ】図５Ａのピボット取付け部材の第２の側面図である。
【図６Ａ】本発明の一実施形態の図３Ａの雌バックルシステムのウェビング取付け部材の正面斜視図である。
【図６Ｂ】図６Ａのウェビング取付け部材の正面図である。
【図６Ｃ】図６Ｂの線６Ｃ−６Ｃに沿ったウェビング取付け部材の断面端面図である。
【図６Ｄ】図６Ａのウェビング取付け部材の端面図である。
【図６Ｅ】図６Ａのウェビング取付け部材の第１の側面図である。
【図６Ｆ】図６Ａのウェビング取付け部材の背面図である。
【図６Ｇ】図６Ｂの線６Ｇ−６Ｇに沿ったウェビング取付け部材の第２側断面図である。
【図６Ｈ】図６Ｇの線６Ｈ−６Ｈに沿ったウェビング取付け部材の側断面図である。
【図７Ａ】本発明の一実施形態の雄バックルシステムの側面斜視図である。
【図７Ｂ】図７Ａの雄バックルシステムの正面図である。
【図７Ｃ】図７Ｂの線７Ｃ−７Ｃに沿った雄バックルシステムの断面図である。
【図８Ａ】本発明の一実施形態の図７Ａの雄バックルシステムの基部の正面図である。
【図８Ｂ】図８Ａの基部の第１端面図である。
【図８Ｃ】図８Ａの基部の第１の側面図である。
【図８Ｄ】図８Ａの基部の第２の側面図である。
【図９Ａ】本発明の一実施形態の図７Ａの雄バックルシステムのノブの正面図である。
【図９Ｂ】図９Ａの線９Ｂ−９Ｂに沿ったノブの断面図である。
【図９Ｃ】図９Ａのノブの第１端面図である。
【図９Ｄ】図９Ａのノブの第２端面図である。
【図１０】本出願の一実施形態の図７Ａの雄バックルシステムの付勢部材の正面図である。
【図１１Ａ】本発明の一実施形態の図７Ａの雄バックルシステムのシャフトの第１正面図である。
【図１１Ｂ】図１１Ａのシャフトの側面図である。
【図１１Ｃ】図１１Ａの線１１Ｃ−１１Ｃに沿った断面図である。
【図１１Ｄ】図１１Ｂの線１１Ｄ−１１Ｄに沿った断面図である。
【図１１Ｅ】図１１Ａのシャフトの端面図である。
【図１２Ａ】本発明の一実施形態の図７Ａの雄バックルシステムの付勢保持キャップの正面図である。
【図１２Ｂ】図１２Ａの付勢保持キャップの端面図である。
【図１２Ｃ】図１２Ｂの線１２Ｃ−１２Ｃに沿った付勢保持キャップの断面図である。
【図１３Ａ】本発明の一実施形態の別の安全ハーネスコネクターの正面斜視図である。
【図１３Ｂ】図１３Ａの安全ハーネスコネクターの正面図である。
【図１３Ｃ】図１３Ａの安全ハーネスコネクターの側面図である。
【図１３Ｄ】図１３Ａの安全ハーネスコネクターの端面図である。
【図１４Ａ】図１３Ａの安全ハーネスコネクターの雌バックルシステムの正面斜視図である。
【図１４Ｂ】図１４Ａの雌バックルシステムの正面図である。
【図１４Ｃ】図１４Ａの雌バックルシステムの側面図である。
【図１４Ｄ】図１４Ｃの線１４Ｄ−１４Ｄに沿った断面図である。
【図１５Ａ】図１４Ａの雌バックルシステムの雌ハウジング部材の正面図である。
【図１５Ｂ】図１５Ａの雌ハウジング部材の側面図である。
【図１５Ｃ】図１５Ａの雌ハウジング部材の端面図である。
【図１５Ｄ】図１５Ａの雌ハウジング部材の背面図である。
【図１５Ｅ】図１５Ｄの線１５Ｅ−１５Ｅに沿った雌ハウジング部材の断面図である。
【図１６Ａ】図１４Ａの雌バックルシステムの中間プレート部の正面図である。
【図１６Ｂ】図１６Ａの中間プレート部の背面図である。
【図１６Ｃ】図１６Ｂの線１６Ｃ−１６Ｃに沿った中間プレート部の断面図である。
【図１６Ｄ】図１６Ａの中間プレート部の端面図である。
【図１７】図１４Ａの雌バックルシステムの付勢部材の正面図である。
【図１８】図１４Ａの雌バックルシステムのリベットの側面図である。
【図１９】図１４Ａの雌バックルシステムの爪の正面図である。
【０００９】
一般的な慣習に従い、様々な記載の特徴が一定の縮尺では描かれておらず、本発明と関連する特定の特徴を強調するよう描かれている。参照符号は、図面及び文面を通じて類似の要素を示す。
【発明を実施するための形態】
【００１０】
以下の詳細な説明では、本明細書の一部を形成する添付の図面に言及し、本発明を実施できる特定の実施形態を例示の目的で示す。これらの実施形態は、当業者による本発明の実施を可能にするよう十分詳細に記載されるが、他の実施形態を利用でき、本発明の趣旨及び範囲を逸脱することなしに変更が加えられることを理解すべきである。したがって、以下の詳細な説明は、限定的な意味で解されるべきではなく、本発明の範囲は、特許請求の範囲及びその均等物によってしか定義されない。
【００１１】
一実施形態において、ピボット安全ハーネスコネクターアセンブリ１００が提供される。ピボット接続は、チェストストラップが正常使用中にフロントストラップに対して垂直に向き、落下時にフロントストラップと並ぶよう回転しながら、チェストストラップ上に取り付けられたＤリングから吊り下げられることを可能にする。他の実施形態では、安全ハーネスコネクターアセンブリ１００及び３００は、安全ハーネスの接続されたウェビング又はストラップの緩みをなくす機能を含むか、又は、安全ハーネスを個別のユーザーに適切にフィットさせるのに必要なウェビングの更なる長さを提供する。更なる実施形態では、安全ハーネスコネクターアセンブリ１００及び３００の雌ハウジング部材は、安全ハーネスコネクターアセンブリ１００及び３００の雄バックルシステムの雄部を保持し、意図しない嵌合解除を防止するように設計された保持運動チャネルを含む。
【００１２】
ユーザー５０が着用した安全ハーネス２００と連結された一実施形態のピボットチェストコネクターアセンブリ１００の一実施形態を、図１に示す。この実施形態のピボット安全ハーネスコネクターアセンブリ１００は、チェストウェビング２０２（チェストストラップ）と一対のフロント−ショルダーウェビング２００ａ及び２００ｂ（フロントストラップ）との間でピボット連結される。ピボットチェストコネクターアセンブリ１００は、雄バックルシステム１０２及び雌バックルシステム１０４を含む。この実施形態の雄バックルシステム１０２は、適切なフィットのために必要なときに、チェストストラップ２０２の緩みを巻き上げるか又は追加のチェストストラップ２０２を繰り出すように設計された、レボルバー部１０２ａを含む。雄バックルシステム１０２は、雌バックルシステム１０４の雌接続部１０４ａに選択的に収容されるように設計された、雄接続部１０２ｂを更に含む。これを、図２Ａ〜図２Ｃ及び図３Ａ及び図３Ｂの拡大図に示す。雌バックルシステム１０４は、ウェビング接続部１０４ｂを更に含む。図３Ａに最もよく示されるとおり、雌接続部１０４ａ内に、一対の爪１２０ａ及び１２０ｂがピボット結合されている。爪１２０ａ及び１０２ｂは、一対の爪付勢部材１２１ａ及び１２１ｂを用いて付勢され、接続時に、雄バックルシステム１０２の雄接続部１０２ｂを雌バックルシステム１０４の雌接続部１０４ａ内に保持する。雄バックルシステム１０２の雄接続部１０２ｂを雌接続部１０４ａから解除するには、ユーザーは、爪１２０ａ及び１２０ｂを同時に押圧して、爪付勢部材１２１ａ及び１２１ｂにより提供される付勢力に逆らう。爪１２０ａ及び１２０ｂを同時に押圧すると、雄バックルシステム１０２の雄接続部１０２ｂを雌バックルシステム１０４の雌接続部１０４から取り外すことができる。
【００１３】
図４Ａ〜図４Ｃは、一実施形態の雌バックルシステム１０４の雌ハウジング部材１１５を示す。雌ハウジング部材１１５は、雌バックルシステム１０４の雌接続部１０４ａ及びウェビング接続部１０４ｂを含む。図４Ｃの側面図に示すとおり、一実施形態では、雌ハウジング部材１１５は概ねＵ字形であり、上部１１５ａ（フロントプレート部）、下部１１５ｂ（バックプレート部）、及び湾曲接続端部１１５ｃを有する。バックプレート部１１５ｂは、この実施形態では、フロントプレート部１１５ａから間隔を置いて概ね平行に配置される。フロントプレート部１１５ａ及びバックプレート部１１５ｂは、収容チャネル深さ１３５を有する収容チャネル１３７を画定する。雌ハウジング部材１１５は、湾曲接続端部１１５ｃ及びバックプレート部１１５ｂに近接して配置された凸部１１５ｄを含む。凸部１１５ｄは、下部１１５ｂの平面を超えて突出する、雄バックルシステム１０２の雄接続部１０２ｂが回転するための保持運動チャネル１３１を作り出す。保持運動チャネル１３１は、雄バックルシステムが雌バックルシステムに対して回転することを可能にし、接続されたバックルアセンブリを柔軟にして、ユーザーの体形に合わせて調節する。保持運動チャネル深さ１３３は、収容チャネル深さ１３５を超える。図４Ｃに示す実施形態では、保持運動チャネル１３１を構成する表面は弓形の形状である。図４Ａの正面図を参照すると、フロントプレート部１１５ａは、概ねＴ字形である切欠きセクション１１７を含み、これは、中間切欠きセクション１１７ａ及び互いの反対側にある側部切欠きセクション１１７ｂ及び１１７ｃを有する。バックプレート部１１５ｂは、一連の矢じり形切欠きセクション１１９ａ、１１９ｂ及び１１９ｃを含む。一実施形態では、矢じり形切欠きセクション１１９ａ、１１９ｂ及び１１９ｃは、バックルの重量を低減する。
【００１４】
雌バックルシステム１０４は、図５Ａ〜図５Ｃに示すピボット取付け部材１１０を更に含む。ピボット取付け部材１１０は、ピボット接続部１１０ａ、保持部１１０ｂ及び接続部１１０ａを保持部１１０ｂと接続する中間屈曲部１１０ｃを含む。中間屈曲部１１０ｃは、この実施形態では図５Ｂに示すとおり概ねＳ字形構成であり、接続部１１０ａと保持部１１０ｂとを、概ね互いに対し平行な異なる平面に置く。更にこの実施形態では、接続部１１０ａは、図５Ａに最もよく示されるとおり、保持部１１０ｂの幅よりも狭い幅を有する。接続部１１０ａはピボット取付け孔１２１を含み、保持部１１０ｂはピボット接続部材ウェビングスロット１１１を含む。ピボット接続部材ウェビング孔１１１は、ウェビング２００ａの幅よりもわずかに大きな幅を有する。この実施形態の雌バックルシステム１０４は、図６Ａ〜図６Ｆに示すショルダーウェビング取付け部材１０８を更に含む。ウェビング取付け部材１０８は、概ね矩形の形状であり、第２の部分１０８ｂよりも厚い第１の部分１０８ａを有し、これは、図６Ａ、図６Ｅ及び図６Ｇに最もよく示される。第２の部分１０８ｂは、概ね互いに平行に間隔を置いて配置される第１のスロット１０３及び第２のスロット１０５を含む。第１の部分１０８ａは、やはり概ね第１及び第２のスロット１０３及び１０５と平行な、第３のスロット１０７を含む。一実施形態では、ウェビング取付け部材１０８は、第１の端部１９０ａ、第２の端部１９０ｂ及び中間部１９０ｃを有する取付けプレート１９０を含む。取付けスリーブ１９２が、取付けプレート１９０の第２の端部１９０ｂに近接し、かつウェビング取付け部材１０８の第２の部分１０８ｂと隣接する、取付けプレート１９０の表面から延びる。取付けスリーブ１９２は、スリーブキャビティ１０９を形成する。取付けスリーブ１９２は、スリーブキャビティ１０９へのスリーブ開口部１９３を含み、これは、ピボット取付け部材１１０の保持部１１０ｂを収容するように設計される。スリーブ開口部１９３は、取付けプレート１９０の中間部１９０ｃに近接して配置される。取付けスリーブ１９２は、スリーブキャビティ１０９へのスリーブ切欠きセクション１９５を更に含む。スリーブ切欠きセクション１９３が、取付けプレート１９０の第２の端部１９０ｂに近接して配置されて、ウェビング取付け部材１０８の取付けプレート１９０の第３のスロット１０７を露出させる。ピボット取付け部材１１０の保持部１１０ｂがスリーブキャビティ１０９内にあるとき、ピボット取付け部材１１０の保持部１１０ｂのウェビングスロット１１１は、取付けプレート１９０の第３のスロット１０７と整列し、結果として、ウェビングスロット１１１及び第３のスロット１０７を通過するウェビング２００ａ（図２Ａに示す）は、ピボット取付け部材１１０をウェビング取付け部材１０８と連結する。更に、ショルダーウェビング取付けプレート１９０のスロット１０７及びピボット取付け部材１１０のスロット１１１を通過するウェビング２００ａは、ウェビング２００ａを雌バックルシステム１０４と連結する。ショルダーウェビングストラップ２００ｂは、この例示的実施形態では、少なくともウェビング取付け部材１０８のスロット１０３及び１０５を通過し、雌バックルシステム１０４をショルダーストラップ２００ｂと連結する。更に、一実施形態では、ウェビング２００ａ及び２００ｂは、ウェビング取付け部材１０８及びピボット取付け部材１１０それぞれのスロット１０３、１０５、１０７及び１１１を通過する１本のウェビングでできている。図２Ｂは、雌バックルシステム１０４と連結されたウェビング２００ａ及び２００ｂを示す。図２Ｂはまた、どのようにピボット取付け部材１１０の中間屈曲部１１０ｃが、リベット１３０を介して形成されるピボット接続点を、ウェビング２００ａ及び２００ｂから離れるように間隔をあけるのかを示す。図３Ａ及び図３Ｂは、雌バックルシステムがどのようにピボットするのかを示す。ピボット接続は、雌ハウジング部材１１５の上部１１５ａ及び下部１１５ｂのそれぞれのハウジングピボット孔１２５ａ及び１２５ｂ（図４Ａ及び図４Ｂに示す）並びにピボット取付け部材１１０のピボット部材孔１２１（図５Ａに示す）内に収容されたリベット１３０により提供される。特に、ピボット取付け部材１１０のピボット接続部１１０ａは、雌ハウジング部材１１５の上部及び下部１１５ａ及び１１５ｂの間に配置され、結果として雌ハウジング部材１１５のハウジングピボット孔１２５ａ及び１２５ｂは、ピボット取付け部材１１０のピボット取付け孔１２１と整列している。次に、リベット１３０は、孔１２５ａ、１２１及び１２５ｂにそれぞれ収容され、雌ハウジング部材１１５をピボット取付け部材１１０とピボット連結する。
【００１５】
一実施形態の雄バックルシステム１０２を、図７Ａ及び図７Ｃに示す。雄バックルシステム１０２は、基部１５０、及びシャフト１６０と連結されたノブ１４０を含む。基部１５０を、図８Ａ〜図８Ｄに示す。基部１５０は、中間プレート部１５０ａを含む。中間プレート部の両側の端部からは、第１及び第２の側壁１５２ａ及び１５２ｂが概ね垂直に延びる。更に、中間プレート部１５０ａの別の端部からは、雄バックルシステム１０２の雄接続部１０２ｂが延びる。雄接続部１０２ｂは、概ねＴ字形であり、雌ハウジング部材１１５のフロントプレート部１１５ａの概ねＴ字形の切欠きセクション１１７に収容されるように設計される。特に、雄接続部１０２ｂは、側部切欠きセクション１１７ｂ及び１１７ｃに収容されるように設計された、保持側部タブ１５１ａ及び１５１ｂを含む。更に、この実施形態では、雄接続部１０２ｂは、雌バックルシステム１０４の雌ハウジング部材１１５の上部１１５ａの中間切欠きセクション１１７ａ（又は保持切欠きセクション）内に収容される屈曲保持リップ１５１ｃで終端する。特に、保持リップ１５１ｃは、図８Ｄに示すとおり、保持側部タブ１５１ａ及び１５１ｂにより形成される平面から上方に屈曲している。屈曲保持リップ１５１ｃは、雌ハウジング部材１１５の上部１１５ａの中間切欠きセクション１１７ａ内に収容される。中間切欠きセクション１１７ａを画定する保持端部１８１ａ及び１８１ｂとの屈曲保持リップ１５１ｃの嵌合は、雄バックルシステム１０２が雌バックルシステム１０４と連結されたとき、雄バックルシステム１０２が雌バックルシステム１０４に対して横回転するのを防止する。これは、爪１２０ａ及び１２０ｂのうちの１つが押圧されながら、雄バックルシステム１０２及び雌バックルシステム１０４が互いに向かって押された場合に、雄バックルシステム１０２が雌バックルシステム１０４から意図せず接続解除されることを防止する。基部１５０の第１の側壁１５２ａは、図８Ｃに示すとおり、第１のシャフト口１５７を含む。複数の間隔を置いて配置された保持歯孔１５３ａ、１５３ｂ及び１５３ｃは、第１のシャフト口１５７から放射状に外向きに延びていた。第２の側壁１５２ｂは、図８Ｄに示すとおり、第２のシャフト口１５９を含む。第２の側壁１５２ｂの第２のシャフト口１５９は、第１の側壁１５２ａの第１のシャフト口１５７と整列している。
【００１６】
シャフト１６０を、図１１Ａ〜図１１Ｅに示す。シャフト１６０は、第１の頭端部１６０ａ、シャフト中間部１６０ｂ、及び第２の端部１６０ｃを含む。シャフト中間部１６０ｂは、ウェビング孔１６１を含む。一実施形態では、図１１Ｄに示すとおり、ウェビング孔１６１は、テーパ状の端部を有する。頭端部１６０ａは、図１１Ｅに示すとおり、概ね長円形である。頭部接続部１６４は、頭端部１６０ａから延びる。端部コネクター１６２は、第２の端部１６０ｃから延びる。ノブ１４０を、図９Ａ〜図９Ｄに更に示す。ノブ１４０は、第１の端部１４３及び第２の端部１４５を有する。ノブ１４０は、第１の端部１４３から第２の端部１４５まで延びるノブ孔１４２を含む。孔１４２は、第１の孔部１４２ａ及び第２の孔部１４２ｂを有する。第１の孔部１４２は、長円形の断面形状を有し、シャフト１６０の頭端部１６０ａを収容するサイズである。第２の孔部１４２ｂは、概ね円形の断面１４２ｂを有する。第１の孔部１４２ａは、ノブ１４０の第２の端部１４５に近接して配置され、第２の孔１４２ｂは、ノブ１４０の第１の端部１４３に近接して配置される。ノブ１４０の第２の端部１４５上のノブ孔１４２の周辺部の周りに、保持歯１４１ａ、１４１ｂ及び１４１ｃが間隔を置いて配置される。保持歯１４１ａ、１４１ｂ及び１４１ｃは、傾斜表面側及び保持端部側を有する。保持歯１４１ａ、１４１ｂ及び１４１ｃは、基部１５０の第１の側壁１５２ａの保持歯孔１５３ａ、１５３ｂ及び１５３ｃに選択的に収容されるように設計される。図１０に示すノブ付勢部材１４６は、第２の孔部１４２ｂに収容される。付勢部材１４６は、ノブの第２の孔部１４２ｂに、付勢保持キャップ１７０を介して保持される。付勢保持キャップ１７０を、図１２Ａ〜図１２Ｃに示す。付勢保持キャップ１７０は、概ね円形であり、ノブ１４０の第２の孔部１４２ｂ内に収容されるように設計される。付勢保持キャップ１７０は、シャフト１６０の第１の頭端部１６０ａの頭部接続部１６４を収容するように設計された、中央孔１７１を含む。図７Ｃを参照して、構成の更なる議論を提供する。図示するとおり、シャフト１６０の第２の端部１６０ｃは、基部１５０第２の孔１５９に収容され、一方でシャフト１６０の端部コネクター１６２は、シャフト１６０を回転するよう基部１５０の第２の側壁１５２ｂと連結する。シャフト１６０の頭端部１６０ａは、基部１５０の第１の側壁１５２ａの第１のノブ孔１５７及びノブ１４０のノブ孔１４２内に収容される。付勢部材１４６は、シャフト１６０の頭端部１６０ａの一部の周囲に収容され、ノブ孔１４２の第２の孔部１４２ｂ内に配置される。付勢保持キャップ１７０は、シャフト１６０の頭端部１６０ａの頭部接続部１６４と連結される。付勢部材は、付勢保持キャップ１７０と、第１の孔部１４２ａ及び第２の孔部１４２ｂとの間の境界を画定するノブ孔１４２の表面との間に配置される。使用の際、ノブを動作させていないとき、付勢部材１４６は、ノブ１４０の保持歯１４１ａ、１４１ｂ及び１４１ｃを、基部１５０の第１の側壁１５２ａの保持歯孔１５３ａ、１５３ｂ及び１５３ｃ内へと付勢し、ウェビングが雄バックル部のウェビングスロット１６１を通過するのを静止位置で係止する。ユーザーがウェビングの緩みをなくすことを望む場合、ユーザーは、ノブを第１の方向に回転させるだけで、シャフト１６０のシャフト中間部１６０ｂ上にウェビングを巻き取る。保持歯１４１ａ、１４１ｂ及び１４１ｃの傾斜部は、シャフト１６０が巻取り方向に回転することを可能にする。ユーザーがウェビングを緩めることを望む場合、ユーザーは、ノブ１４０を引き出し、付勢部材１４６の付勢力に逆らう。これは、ノブ１４０の保持歯１４１ａ、１４１ｂ及び１４１ｃを、基部１５０の第１の側壁１５２ａの保持歯孔１５３ａ、１５３ｂ及び１５３ｃから除去することを可能にする。ノブ１４０が引き出されている間、ノブ１４０は、ウェビングを繰り出す方向に回転する。ノブ１４０が放されると、付勢部材１４６が、ノブ１４０の保持歯１４１ａ、１４１ｂ及び１４１ｃを、基部１５０の第１の側壁１５２ａの保持歯孔１５３ａ、１５３ｂ及び１５３ｃ内へと進めて、再びウェビングを雄バックルシステム１０２に対して固定する。
【００１７】
安全ハーネスコネクターアセンブリ３００の別の一実施形態をまた、図１に示す。この安全ハーネスコネクターアセンブリ３００もまた、上で論じた雄バックルシステム３０２及び雌バックルシステム３０４を含む。図１に示すとおり、安全ハーネスコネクターアセンブリ３００のこの実施形態は、下部ハーネスウェビング２２０ａ、２２０ｂ並びに２２２ａ及び２２２ｂをそれぞれ互いに連結するために使用される。図１３Ａ〜図１３Ｄを参照すると、ウェビング２２０ａと２２０ｂを互いに連結する安全ハーネスコネクター３００の拡大図を示す。図１４Ａ〜図１４Ｃは、雌バックルシステム３０４を示す。雌バックルシステム３０４は、雌ハウジング部材３１５、中間プレート部３４０、一対の爪３２０ａ及び３２０ｂ、並びに一対の爪付勢部材３２１ａ及び３２１ｂを含む。雌ハウジング部材３１５を、図１５Ａ〜図１５Ｄに示す。雌ハウジング部材３１５は、雌バックルシステム３０４の雌接続部３０４ａ及びウェビング接続部３０４ｂを含む。図１５Ｂの側面図に示すとおり、一実施形態では、雌ハウジング部材３１５は、上述の雌ハウジング部材１１５と同様、概ねＵ字形であり、フロントプレート部３１５ａ、バックプレート部３１５ｂ、及び湾曲接続端部３１５ｃを有する。バックプレート部３１５ｂは、フロントプレート部３１５ａから間隔を置いて概ね平行に配置され、選択的室深さ３３９の収容室３３７を作り出す。雌ハウジング部材３１５は、湾曲接続端部３１５とバックプレート部３１５ｂとの間に配置された凸部３１５ｄを更に含む。凸部３１５ｄは、下部３１５ｂを超えて突出する、雄バックルシステム１０２の雄接続部１０２ｂが回転することを可能にする保持運動チャネル３３１を作り出す。保持運動チャネル３３１は、室深さ３３９を超える深さ３４１を有する。更に、凸部３１５ｄを構成する表面は概ね弓形である。
【００１８】
図１５Ａの正面図を参照すると、フロントプレート部３１５ａは、概ねＴ字形である切欠きセクション３１７を含み、これは、中間切欠きセクション３１７ａ（保持切欠きセクション）及び互いの反対側にある側部切欠きセクション３１７ｂ及び３１７ｃを有する。中間切欠きセクション３１７ａは、雄接続部１０２ｂの保持側部タブ１５１ａ及び１５１ｂを選択的に保持する雌接続部３０４ａの腕部３３３ａ及び３３３ｂを形成する。中間切欠きセクション３１７ａは、保持端部３７１ａ及び３７１ｂ（図１４Ａに最もよく示される）により画定される。中間切欠きセクション３１７ａを画定する保持端部３７１ａ及び３７１ｂとの雄バックルシステム１０２の屈曲保持リップ１５１ｃの嵌合は、雄バックルシステム１０２が雌バックルシステム３０４と連結されたとき、雄バックルシステム１０２が雌バックルシステム３０４に対して横回転するのを防止する。雌ハウジング部材３１５のフロントプレート部３１５ａ及びバックプレート部３１５ｂは両方とも、整列しているウェビングスロット３２５ａ及び３２５ｂを含み、これらは、ハーネスウェビングを雌バックルシステム３０４と連結するために使用される。バックプレート部３１５ｂは、一連の矢じり形切欠きセクション３１９ａ、３１９ｂ及び３１９ｃを含む。矢じり形切欠きセクション３１９ａ、３１９ｂ及び３１９ｃは、フロントプレート部３１５ａの側部切欠きセクション３１７ｂ及び３１７ｃと整列しているので、それらはすべて正面から見ることができる。矢じり形切欠きセクション３１９ａ、３１９ｂ及び３１９ｃは、一実施形態では、バックプレート部３１５ｂの重量を低減するために使用される。
【００１９】
図１６Ａ〜図１６Ｄは、雌バックルシステム３０４の中間プレート部を示す。中間プレート部３４０は、この実施形態では雌ハウジング部材３１５のウェビング接続部３０４ｂと類似した形状を有する少なくとも一部分を有する、メインプレート部３４２を含む。メインプレート部材３４２は、メインプレート部３４２が雌ハウジング部材のフロントプレート部３１５ａとバックプレート部３１５ｂとの間に配置されたとき、雌ハウジング部材３１５の整列しているウェビングスロット３２５ａ及び３２５ｂと整列する、ウェビングスロット３４３を含む。中間プレート部３４０は、解除制御部３４８を更に含む。中間プレート部３４０の解除制御部３４８は、一対の間隔を置いて配置される保持区画３４９ａ及び３４９ｂを含む。保持区画３４９ａ及び３４９ｂは、各付勢部材（包括的に３２１と称する）及び爪（包括的に３２０と称する）を保持するように形状決めされた端部を含む。例示的爪付勢部材３２１を図１７に示し、爪の一例を図１９に示す。第１の保持区画３４９ａは、付勢部材保持スロット３４５ａを形成する足端部３４４ａを含む。付勢部材保持スロット３４５ａとメインプレート部３４２との間に、全体に湾曲した爪ガイド表面３４７ａが形成される。第２の保持区画３４９ｂは、付勢部材保持スロット３４５ｂを形成する足端部３４４ｂを含む。付勢部材保持スロット３４５ｂとメインプレート部３４２との間に、全体に湾曲した爪ガイド表面３４７ｂが形成される。図１４Ｄを参照すると、それぞれの付勢部材保持スロット３４５ａ及び３４５ｂ内に収容されたそれぞれの第１の端部を有する、付勢部材３２１ａ及び３２１ｂの例を示す。図１４Ｄの組立断面図にまた示すのは、それぞれの爪ガイド表面３４７ａ及び３４７ｂ内に収容されたそれぞれの爪３２０ａ及び３２０ｂの一部である。雌バックルシステム１０４の第１の実施形態は、類似した中間プレート部３４０を含む。図１８を参照すると、雌バックルシステム３０４をまとめて連結するために使用されるリベット３３０の一例を示す。たとえば、リベット３３０は、雌ハウジング部材３１５の接続口３３５及び中間プレート部３４０のプレート接続口（図１６Ｂに示す）内に配置され、中間プレート部３４０を雌ハウジング部材３１５内に連結する。
【００２０】
本明細書では、特定の実施形態を示して説明したが、示した特定の実施形態を、同じ目的を達成するように計画された任意の構成に置き換えることができると、当業者は認めると考えられる。本出願は、本発明の任意の適合形態又は変形形態を包含することが意図されている。したがって、本発明は、特許請求の範囲及びその均等物によってしか限定されないことが、明白に意図されている。
【図１】
0006749348.tif 000002
【図２Ａ】
0006749348.tif 000003
【図２Ｂ】
0006749348.tif 000004
【図２Ｃ】
0006749348.tif 000005
【図３Ａ】
0006749348.tif 000006
【図３Ｂ】
0006749348.tif 000007
【図４Ａ】
0006749348.tif 000008
【図４Ｂ】
0006749348.tif 000009
【図４Ｃ】
0006749348.tif 000010
【図５Ａ】
0006749348.tif 000011
【図５Ｂ】
0006749348.tif 000012
【図５Ｃ】
0006749348.tif 000013
【図６Ａ】
0006749348.tif 000014
【図６Ｂ】
0006749348.tif 000015
【図６Ｃ】
0006749348.tif 000016
【図６Ｄ】
0006749348.tif 000017
【図６Ｅ】
0006749348.tif 000018
【図６Ｆ】
0006749348.tif 000019
【図６Ｇ】
0006749348.tif 000020
【図６Ｈ】
0006749348.tif 000021
【図７Ａ】
0006749348.tif 000022
【図７Ｂ】
0006749348.tif 000023
【図７Ｃ】
0006749348.tif 000024
【図８Ａ】
0006749348.tif 000025
【図８Ｂ】
0006749348.tif 000026
【図８Ｃ】
0006749348.tif 000027
【図８Ｄ】
0006749348.tif 000028
【図９Ａ】
0006749348.tif 000029
【図９Ｂ】
0006749348.tif 000030
【図９Ｃ】
0006749348.tif 000031
【図９Ｄ】
0006749348.tif 000032
【図１０】
0006749348.tif 000033
【図１１Ａ】
0006749348.tif 000034
【図１１Ｂ】
0006749348.tif 000035
【図１１Ｃ】
0006749348.tif 000036
【図１１Ｄ】
0006749348.tif 000037
【図１１Ｅ】
0006749348.tif 000038
【図１２Ａ】
0006749348.tif 000039
【図１２Ｂ】
0006749348.tif 000040
【図１２Ｃ】
0006749348.tif 000041
【図１３Ａ】
0006749348.tif 000042
【図１３Ｂ】
0006749348.tif 000043
【図１３Ｃ】
0006749348.tif 000044
【図１３Ｄ】
0006749348.tif 000045
【図１４Ａ】
0006749348.tif 000046
【図１４Ｂ】
0006749348.tif 000047
【図１４Ｃ】
0006749348.tif 000048
【図１４Ｄ】
0006749348.tif 000049
【図１５Ａ】
0006749348.tif 000050
【図１５Ｂ】
0006749348.tif 000051
【図１５Ｃ】
0006749348.tif 000052
【図１５Ｄ】
0006749348.tif 000053
【図１５Ｅ】
0006749348.tif 000054
【図１６Ａ】
0006749348.tif 000055
【図１６Ｂ】
0006749348.tif 000056
【図１６Ｃ】
0006749348.tif 000057
【図１６Ｄ】
0006749348.tif 000058
【図１７】
0006749348.tif 000059
【図１８】
0006749348.tif 000060
【図１９】
0006749348.tif 000061